(57)【要約】【課題】  良好な接続を得ることが可能なコネクタを提供する。【解決手段】  実施形態に係るコネクタ１０は、絶縁材料部１３と、絶縁材料部に囲まれ、絶縁材料部を第１の方向に貫通し、第１の方向に対して垂直な第２の方向に配列された複数の第１のスルー導電部１３とを備え、複数の第１のスルー導電部は、同一の方向に屈曲している。【選択図】  図２
2020030918.tif 000002
【特許請求の範囲】
【請求項１】
絶縁材料部と、
前記絶縁材料部に囲まれ、前記絶縁材料部を第１の方向に貫通し、前記第１の方向に対して垂直な第２の方向に配列された複数の第１のスルー導電部と、
を備えたコネクタであって、
前記複数の第１のスルー導電部は、同一の方向に屈曲している
ことを特徴とするコネクタ。
【請求項２】
前記複数の第１のスルー導電部は、前記第２の方向に屈曲している
ことを特徴とする請求項１に記載のコネクタ。
【請求項３】
前記絶縁材料部に囲まれ、前記絶縁材料部を前記第１の方向に貫通し、前記第２の方向に配列された複数の第２のスルー導電部をさらに備え、
前記複数の第２のスルー導電部は、同一の方向に屈曲している
ことを特徴とする請求項１に記載のコネクタ。
【請求項４】
前記複数の第１のスルー導電部及び前記複数の第２のスルー導電部は、前記第１の方向及び前記第２の方向に対して垂直な第３の方向に屈曲している
ことを特徴とする請求項３に記載のコネクタ。
【請求項５】
絶縁材料部と、
前記絶縁材料部に囲まれ、前記絶縁材料部を第１の方向に貫通し、前記第１の方向に対して垂直な第２の方向に配列された複数の第１のスルー導電部と、
を備えたコネクタであって、
前記複数の第１のスルー導電部は、前記複数の第１のスルー導電部を同一の方向に屈曲させるための複数の第１の切り欠き部を有する
ことを特徴とするコネクタ。
【請求項６】
前記絶縁材料部に囲まれ、前記絶縁材料部を前記第１の方向に貫通し、前記第２の方向に配列された複数の第２のスルー導電部をさらに備え、
前記複数の第２のスルー導電部は、前記複数の第２のスルー導電部を同一の方向に屈曲させるための複数の第２の切り欠き部を有する
ことを特徴とする請求項５に記載のコネクタ。
【請求項７】
前記複数の第１のスルー導電部及び前記複数の第２のスルー導電部は、前記複数の第１の切り欠き部及び前記複数の第２の切り欠き部によって、前記第１の方向及び前記第２の方向に対して垂直な第３の方向に屈曲可能である
ことを特徴とする請求項６に記載のコネクタ。
【請求項８】
絶縁材料部と、
前記絶縁材料部に囲まれ、前記絶縁材料部を第１の方向に貫通し、それぞれが前記絶縁材料部から突出した突出部を含む複数のスルー導電部と、
を備えたコネクタであって、
前記突出部は、突出方向に向かって細くなっている少なくとも１つの第１の部分を含む
ことを特徴とするコネクタ。
【請求項９】
前記突出部は複数の前記第１の部分を含み、前記複数の第１の部分の先端は同じ高さである
ことを特徴とする請求項８に記載のコネクタ。
【請求項１０】
前記突出部は、前記突出方向に平行な方向から見てｎ回回転対称である（ただし、ｎは２以上の整数）
ことを特徴とする請求項８に記載のコネクタ。
【請求項１１】
請求項１、５又は８に記載のコネクタと、
前記コネクタの第１の主面側に設けられ、前記コネクタの前記複数の第１のスルー導電部の一端に接続された複数の第１の電極を含む第１の基板と、
前記コネクタの第２の主面側に設けられ、前記コネクタの前記複数の第１のスルー導電部の他端に接続された複数の第２の電極を含む第２の基板と、
を備えた積層基板モジュール。
【発明の詳細な説明】
【技術分野】
【０００１】
本発明の実施形態は、コネクタ及び積層基板モジュールに関する。
【背景技術】
【０００２】
複数の小型プリント基板が積層された積層基板モジュールが提案されている。この積層基板モジュールでは、隣接する小型プリント基板間がコネクタによって互いに接続されている。
しかしながら、従来のコネクタ及び積層基板モジュールでは、必ずしも良好な接続が得られているとは言えなかった。
【先行技術文献】
【特許文献】
【０００３】
【特許文献１】特開平１１−４５７６８号公報
【発明の概要】
【発明が解決しようとする課題】
【０００４】
良好な接続を得ることが可能なコネクタ及び積層基板モジュールを提供する。
【課題を解決するための手段】
【０００５】
実施形態に係るコネクタは、絶縁材料部と、前記絶縁材料部に囲まれ、前記絶縁材料部を第１の方向に貫通し、前記第１の方向に対して垂直な第２の方向に配列された複数の第１のスルー導電部と、を備えたコネクタであって、前記複数の第１のスルー導電部は、同一の方向に屈曲している。
【図面の簡単な説明】
【０００６】
【図１】第１、第２及び第３の実施形態に係るコネクタを用いた積層基板モジュールを分解したときの状態を模式的に示した図である。
【図２】第１の実施形態に係るコネクタの構成例を模式的に示した断面図である。
【図３】第１の実施形態に係るコネクタの構成例を模式的に示した平面図である。
【図４】第１の実施形態に係るコネクタを用いて積層基板モジュールを組み立てたときのコネクタの状態を模式的に示した断面図である。
【図５Ａ】第１の実施形態の変更例に係るコネクタの第１の構成例を模式的に示した平面図である。
【図５Ｂ】第１の実施形態の変更例に係るコネクタの第２の構成例を模式的に示した平面図である。
【図５Ｃ】第１の実施形態の変更例に係るコネクタの第３の構成例を模式的に示した平面図である。
【図６】第２の実施形態に係るコネクタの構成例を模式的に示した断面図である。
【図７】第２の実施形態に係るコネクタの構成例を模式的に示した平面図である。
【図８】第２の実施形態に係るコネクタを用いて積層基板モジュールを組み立てたときのコネクタの状態を模式的に示した断面図である。
【図９Ａ】第２の実施形態の変更例に係るコネクタの第１の構成例を模式的に示した平面図である。
【図９Ｂ】第２の実施形態の変更例に係るコネクタの第２の構成例を模式的に示した平面図である。
【図９Ｃ】第２の実施形態の変更例に係るコネクタの第３の構成例を模式的に示した平面図である。
【図１０】第３の実施形態に係るコネクタの第１の構成例を模式的に示した断面図である。
【図１１】第３の実施形態に係るコネクタの第１の構成例を模式的に示した平面図である。
【図１２】第３の実施形態に係るコネクタの第２の構成例を模式的に示した断面図である。
【図１３】第３の実施形態に係るコネクタの第２の構成例を模式的に示した平面図である。
【図１４】第３の実施形態に係るコネクタの変更例の構成を模式的に示した平面図である。
【発明を実施するための形態】
【０００７】
以下、図面を参照して実施形態を説明する。
（実施形態１）
図１は、本実施形態に係るコネクタを用いた積層基板モジュールを分解したときの状態を模式的に示した図である。
積層基板モジュール１００は、１以上のコネクタ１０と、２以上の基板（プリント基板）２０とによって構成されている。図１に示した例では、２つのコネクタ１０及び３つの基板２０によって積層基板モジュール１００が構成されている。具体的には、コネクタ１０に設けられたねじ穴１１及び基板２０に設けられたねじ穴２１にボルト３０を通し、ボルト３０をナット４０によって固定することで、積層基板モジュール１００を得ることができる。
【０００８】
コネクタ１０には複数のスルー導電部（図示せず）が設けられ、基板（プリント基板）２０には複数のスルー導電部に対応して複数の電極２２が設けられている。コネクタ１０に設けられたスルー導電部を介して、隣接する基板２０に設けられた電極２２どうしが互いに接続される。
【０００９】
基板２０には、電子部品やプリント配線等が設けられている。例えば、基板２０には、電源用（電池用）の基板、センサ用の基板、コントローラ用の基板等が含まれる。
図２は、本実施形態に係るコネクタ１０の構成例を模式的に示した断面図である。図３は、本実施形態に係るコネクタ１０の構成例を模式的に示した平面図である。
【００１０】
コネクタ１０は、複数のスルー導電部（第１のスルー導電部）１２と、絶縁材料部１３とを含んでいる。
複数のスルー導電部１２は、黄銅やニッケルチタン（ＮｉＴｉ）等の金属材料によって形成されており、絶縁材料部１３に囲まれている。複数のスルー導電部１２は、絶縁材料部１３を第１の方向Ｄ１に貫通し、第１の方向Ｄ１に対して垂直な第２の方向Ｄ２に配列されている。これらの第１のスルー導電部１２は全て、同一の方向に屈曲している。具体的には、スルー導電部１２は、第２の方向Ｄ２に屈曲している。
【００１１】
絶縁材料部１３は、弾性絶縁材料で形成されている。具体的には、絶縁材料部１３の材料にはゴムが用いられる。
図４は、図２及び図３に示したコネクタ１０を用いて図１に示した積層基板モジュール１００を組み立てたときのコネクタ１０の状態を模式的に示した断面図である。積層基板モジュール１００を組み立てるとき、コネクタ１０は両側の基板２０によって第１の方向に力を受ける。本実施形態では、コネクタ１０内のスルー導電部１２が予め同一の方向（第２の方向Ｄ２）に屈曲している。そのため、スルー導電部１２に第１の方向の力が加わったとき、スルー導電部１２は全て同一の方向（第２の方向Ｄ２）に屈曲する。
【００１２】
仮に、スルー導電部１２が屈曲しておらず、真っ直ぐなスルー導電部１２が設けられているとすると、コネクタ１０に第１の方向Ｄ１の力が加わったときにスルー導電部１２はランダムな方向に屈曲する。このようにスルー導電部１２がランダムな方向に屈曲すると、隣接するスルー導電部１２間の距離が近づき、隣接するスルー導電部１２間で電気的なショートが生じるおそれがある。そのため、信頼性に優れたコネクタ１０が得られないおそれがある。
【００１３】
本実施形態では、スルー導電部１２が予め同一の方向（第２の方向）に屈曲しているため、コネクタ１０に第１の方向Ｄ１の力が加わったときにスルー導電部１２は同一の方向（第２の方向）に屈曲する。そのため、上述したような問題を防止することができ、信頼性に優れたコネクタ１０を得ることができる。
【００１４】
なお、上述した実施形態では、スルー導電部１２が予め第２の方向Ｄ２に屈曲していたが、同一方向に屈曲していればスルー導電部１２の屈曲方向は第２の方向Ｄ２でなくてもよい。例えば、第１の方向Ｄ１及び第２の方向Ｄ２に垂直な第３の方向にスルー導電部１２が予め屈曲していてもよい。
【００１５】
図５Ａは、本実施形態の変更例に係るコネクタ１０の第１の構成例を模式的に示した平面図である。
上述した実施形態ではスルー導電部１２が１列であったが、本変更例ではスルー導電部１２が２列となっている。すなわち、本変更例では、コネクタ１０が第２の方向Ｄ２に配列された複数の第１のスルー導電部１２ａ及び第２の方向Ｄ２に配列された複数の第２のスルー導電部１２ｂを含んでいる。上述した実施形態と同様、第１のスルー導電部１２ａ及び第２のスルー導電部１２ｂは、弾性絶縁材料（例えば、ゴム）によって形成された絶縁材料部１３に囲まれ、絶縁材料部１３を第１の方向Ｄ１に貫通している。
【００１６】
図５Ａに示した第１の構成例では、複数の第１のスルー導電部１２ａが全て同一の方向（第２の方向Ｄ２、矢印で示した方向）に屈曲し、複数の第２のスルー導電部１２ｂが全て同一の方向（第２の方向Ｄ２、矢印で示した方向）に屈曲している。また、本構成例では、第１のスルー導電部１２ａの屈曲方向と第２のスルー導電部１２ｂの屈曲方向も同一方向である。
【００１７】
図５Ｂは、本変更例に係るコネクタ１０の第２の構成例を模式的に示した平面図である。本構成例でも、複数の第１のスルー導電部１２ａが全て同一の方向（第２の方向Ｄ２）に屈曲し、複数の第２のスルー導電部１２ｂが全て同一の方向（第２の方向Ｄ２の逆方向）に屈曲している。このように、本構成例では、第１のスルー導電部１２ａの屈曲方向と第２のスルー導電部１２ｂの屈曲方向とが正反対になっている。
【００１８】
図５Ｃは、本変更例に係るコネクタ１０の第３の構成例を模式的に示した平面図である。上述した第１の構成例及び第２の構成例では、コネクタ１０の長軸方向（スルー導電部の配列個数が多い方向）の同一列においてスルー導電部が同一方向に屈曲していたが、本構成例では、コネクタ１０の短軸方向（スルー導電部の配列個数が少ない方向）の同一列においてスルー導電部が同一方向に屈曲している。すなわち、本変更例では、第１の方向Ｄ１及び第２の方向Ｄ２に対して垂直な第３の方向に、第１のスルー導電部１２ａ及び第２のスルー導電部１２ｂが屈曲している。
【００１９】
上述した第１〜第３の構成例で例示される本変更例においても、同一列に配列されたスルー導電部が予め同一の方向に屈曲している。そのため、先に述べたような問題を防止することができ、信頼性に優れたコネクタ１０を得ることができる。
なお、上述した変更例では、コネクタ１０の長軸方向の列数が２列の場合を示したが、長軸方向の列数が３列以上であってもよい。
【００２０】
（実施形態２）
次に、第２の実施形態について説明する。なお、基本的な事項は第１の実施形態と同様であるため、第１の実施形態で説明した事項の説明は省略する。
図６は、本実施形態に係るコネクタ１０の構成例を模式的に示した断面図（第３の方向Ｄ３から見た断面図）である。図７は、本実施形態に係るコネクタ１０の構成例を模式的に示した平面図（第１の方向Ｄ１から見た平面図）である。
【００２１】
本実施形態も、第１の実施形態と同様に、コネクタ１０は、複数のスルー導電部（第１のスルー導電部）１２と、絶縁材料部１３とを含んでいる。
第１の実施形態と同様に、複数のスルー導電部１２は、絶縁材料部１３に囲まれており、絶縁材料部１３を第１の方向Ｄ１に貫通し、第１の方向Ｄ１に対して垂直な第２の方向Ｄ２に配列されている。
【００２２】
本実施形態では、複数のスルー導電部１２は、複数のスルー導電部１２を同一の方向に屈曲させるための複数の切り欠き部１２ｃを有している。具体的には、全てのスルー導電部１２は、全てのスルー導電部１２を第２の方向Ｄ２に屈曲させるための切り欠き部１２ｃを有している。より具体的には、複数のスルー導電部１２は、互いに対応する位置に切り欠き部１２ｃを有している。すなわち、複数のスルー導電部１２は、図６に示すように、第３の方向Ｄ３から見て対応する位置に切り欠き部１２ｃを有しており、図７に示すように、第１の方向Ｄ１から見て対応する位置に切り欠き部１２ｃを有している。
【００２３】
図８は、図６及び図７に示したコネクタ１０を用いて図１に示した積層基板モジュール１００を組み立てたときのコネクタ１０の状態を模式的に示した断面図である。すでに説明したように、積層基板モジュール１００を組み立てるとき、コネクタ１０は両側の基板２０によって第１の方向に力を受ける。本実施形態では、コネクタ１０内の複数のスルー導電部１２が互いに対応する位置に切り欠き部１２ｃを有している。そのため、スルー導電部１２に第１の方向の力が加わったとき、スルー導電部１２は全て同一の方向（第２の方向Ｄ２）に屈曲する。
【００２４】
したがって、本実施形態においても、第１の実施形態で述べたような問題を防止することができ、信頼性に優れたコネクタ１０を得ることができる。
なお、上述した実施形態では、複数のスルー導電部１２が第２の方向Ｄ２に屈曲するように切り欠き部１２ｃが設けられていたが、複数のスルー導電部１２が同一方向に屈曲するように切り欠き部１２ｃが設けられていればよい。例えば、第１の方向Ｄ１及び第２の方向Ｄ２に垂直な第３の方向にスルー導電部１２が屈曲するように、切り欠き部１２ｃが設けられていてもよい。
【００２５】
図９Ａは、本実施形態の変更例に係るコネクタ１０の第１の構成例を模式的に示した平面図である。
上述した実施形態ではスルー導電部１２が１列であったが、本変更例では、スルー導電部１２が２列となっている。すなわち、本変更例では、コネクタ１０が、第２の方向Ｄ２に配列された複数の第１のスルー導電部１２ａ及び第２の方向Ｄ２に配列された複数の第２のスルー導電部１２ｂを含んでいる。上述した実施形態と同様、第１のスルー導電部１２ａ及び第２のスルー導電部１２ｂは、絶縁材料部１３に囲まれ、絶縁材料部１３を第１の方向Ｄ１に貫通している。
【００２６】
図９Ａに示した第１の構成例では、複数の第１のスルー導電部１２ａが全て同一の方向（第２の方向Ｄ２）に屈曲するように、第１のスルー導電部１２ａは互いに対応する位置に第１の切り欠き部１２ｃを有している。また、複数の第２のスルー導電部１２ｂが全て同一の方向（第２の方向Ｄ２）に屈曲するように、第２のスルー導電部１２ｂは互いに対応する位置に第２の切り欠き部１２ｄを有している。また、第１のスルー導電部１２ａの屈曲方向と第２のスルー導電部１２ｂの屈曲方向が同一方向となるように、第１の切り欠き部１２ｃ及び第２の切り欠き部１２ｄが設けられている。
【００２７】
図９Ｂは、本変更例に係るコネクタ１０の第２の構成例を模式的に示した平面図である。本構成例でも、複数の第１のスルー導電部１２ａが全て同一の方向（第２の方向Ｄ２）に屈曲するように、第１のスルー導電部１２ａは互いに対応する位置に第１の切り欠き部１２ｃを有している。また、複数の第２のスルー導電部１２ｂが全て同一の方向（第２の方向Ｄ２の逆方向）に屈曲するように、第２のスルー導電部１２ｂは互いに対応する位置に第２の切り欠き部１２ｄを有している。このように、本構成例では、第１のスルー導電部１２ａの屈曲方向と第２のスルー導電部１２ｂの屈曲方向とが正反対となるように、第１の切り欠き部１２ｃ及び第２の切り欠き部１２ｄが設けられている。
【００２８】
図９Ｃは、本変更例に係るコネクタ１０の第３の構成例を模式的に示した平面図である。上述した第１の構成例及び第２の構成例では、コネクタ１０の長軸方向（スルー導電部の配列個数が多い方向）の同一列においてスルー導電部が同一方向に屈曲するように、第１の切り欠き部１２ｃ及び第２の切り欠き部１２ｄが設けられていたが、本構成例では、コネクタ１０の短軸方向（スルー導電部の配列個数が少ない方向）の同一列においてスルー導電部が同一方向に屈曲するように、第１の切り欠き部１２ｃ及び第２の切り欠き部１２ｄが設けられている。すなわち、本変更例では、第１の方向Ｄ１及び第２の方向Ｄ２に対して垂直な第３の方向に、第１のスルー導電部１２ａ及び第２のスルー導電部１２ｂが屈曲するように、第１の切り欠き部１２ｃ及び第２の切り欠き部１２ｄが設けられている。
【００２９】
上述した第１〜第３の構成例で例示される本変更例においても、同一列に配列されたスルー導電部が同一方向に屈曲するように、第１の切り欠き部１２ｃ及び第２の切り欠き部１２ｄが設けられている。そのため、第１の実施形態で述べたような問題を防止することができ、信頼性に優れたコネクタ１０を得ることができる。
【００３０】
なお、上述した変更例では、コネクタ１０の長軸方向の列数が２列の場合を示したが、長軸方向の列数が３列以上であってもよい。
（実施形態３）
次に、第３の実施形態について説明する。なお、基本的な事項は第１の実施形態と同様であるため、第１の実施形態で説明した事項の説明は省略する。
【００３１】
図１０は、本実施形態に係るコネクタ１０の第１の構成例を模式的に示した断面図（第３の方向Ｄ３から見た断面図）である。図１１は、本実施形態に係るコネクタ１０の第１の構成例を模式的に示した平面図（第１の方向Ｄ１から見た平面図）である。
本実施形態も、第１の実施形態と同様に、コネクタ１０は、複数のスルー導電部１２と、絶縁材料部１３とを含んでいる。
【００３２】
第１の実施形態と同様に、複数のスルー導電部１２は、絶縁材料部１３に囲まれており絶縁材料部１３を第１の方向Ｄ１に貫通し、第１の方向Ｄ１に対して垂直な第２の方向Ｄ２に配列されている。
本実施形態では、コネクタ１０の複数のスルー導電部１２それぞれが、絶縁材料部１３から突出した突出部１２ｅを含んでいる。突出部１２ｅは、突出方向（第１の方向Ｄ１）に向かってしだいに細くなっている少なくとも１つのテーパー形状部分（第１の部分）を含んでいる。図１０及び図１１に示すように、本構成例では、テーパー形状部分は１つである。
【００３３】
このような構成により、本実施形態では、図１に示した積層基板モジュール１００を組み立てたときに、基板２０に設けられた電極２２とスルー導電部１２とを確実に接続することができる。したがって、本実施形態では、良好な接続を得ることが可能なコネクタを得ることが可能である。以下、説明を加える。
【００３４】
基板２０に設けられた電極２２の表面に絶縁膜（例えば、自然酸化膜等）が形成されていると、電極２２とスルー導電部１２とを確実に接続できないおそれがある。本実施形態では、スルー導電部１２の突出部１２ｅが、突出方向に向かってしだいに細くなっているテーパー形状部分を含んでいる。そのため、このテーパー形状部分が電極２２の表面に形成された絶縁膜を貫通し、電極２２とスルー導電部１２とを確実に接続することが可能である。
【００３５】
図１２は、本実施形態に係るコネクタ１０の第２の構成例を模式的に示した断面図（第３の方向Ｄ３から見た断面図）である。図１３は、本実施形態に係るコネクタ１０の第２の構成例を模式的に示した平面図（第１の方向Ｄ１から見た平面図）である。
本構成例では、スルー導電部１２の突出部１２ｅが、複数のテーパー形状部分（第１の部分）を含んでいる。図１２及び図１３に示した例では、テーパー形状部分の数は３であるが、テーパー形状部分の数は２でもよいし、４以上でもよい。
【００３６】
突出部１２ｅの複数のテーパー形状部分の先端は同じ高さである。また、突出部１２ｅは、突出方向（第１の方向Ｄ１）に平行な方向から見てｎ回回転対称である（ただし、ｎは２以上の整数）。図１２及び図１３に示した例では、突出部１２ｅは、突出方向に平行な方向から見て３回回転対称である。
【００３７】
本構成例でも、第１の構成例と同様、基板２０に設けられた電極２２とスルー導電部１２とを確実に接続することができる。したがって、本構成例でも、良好な接続を得ることが可能なコネクタ１０を得ることが可能である。また、本構成例では、突出部１２ｅが複数のテーパー形状部分を有しているため、複数のテーパー形状部分によって電極２２とスルー導電部１２とをより確実に接続することができる。
【００３８】
なお、本実施形態においても、第１の実施形態及び第２の実施形態と同様、コネクタ１０の長軸方向の列数が複数列であってもよい。例えば、図１４に示すように、コネクタ１０が第２の方向Ｄ２に配列された複数の第１のスルー導電部１２ａ及び第２の方向Ｄ２に配列された複数の第２のスルー導電部１２ｂによって構成されていてもよい。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１０…コネクタ      １１…ねじ穴
１２，１２ａ、１２ｂ…スルー導電部
１２ｃ、１２ｄ…切り欠き部      １２ｅ…突出部
１３…絶縁材料部
２０…基板      ２１…ねじ穴      ２２…電極
３０…ボルト      ４０…ナット
１００…積層基板モジュール
【図１】
2020030918.tif 000003
【図２】
2020030918.tif 000004
【図３】
2020030918.tif 000005
【図４】
2020030918.tif 000006
【図５Ａ】
2020030918.tif 000007
【図５Ｂ】
2020030918.tif 000008
【図５Ｃ】
2020030918.tif 000009
【図６】
2020030918.tif 000010
【図７】
2020030918.tif 000011
【図８】
2020030918.tif 000012
【図９Ａ】
2020030918.tif 000013
【図９Ｂ】
2020030918.tif 000014
【図９Ｃ】
2020030918.tif 000015
【図１０】
2020030918.tif 000016
【図１１】
2020030918.tif 000017
【図１２】
2020030918.tif 000018
【図１３】
2020030918.tif 000019
【図１４】
2020030918.tif 000020